(57)【要約】【課題】使い勝手を向上した電気掃除機を提供する。【解決手段】電動部に電力を供給する電池部３を、本体ケース２に着脱可能に設ける。電動部に商用電源から電力を供給させる交流電源部４を本体ケース２に着脱可能に別体に設ける。電池部３と交流電源部４のいずれか一方のみを選択的に本体ケース２に装着して使用可能とする。使用時の重量が必要以上に大きくならず取り扱いが容易になり、使い勝手が向上する。【選択図】        図１
2004337427.tif 000002
【特許請求の範囲】
【請求項１】
電動部を収容した掃除機本体と、
この掃除機本体に着脱可能に設けられ、前記掃除機本体に装着した際に前記電動部に電力を供給する電池部と、
前記掃除機本体に着脱可能に設けられ、前記掃除機本体に装着した際に商用電源から前記電動部に電力を供給させる交流電源部とを具備し、
前記電池部と前記交流電源部とのいずれか一方のみが選択的に前記掃除機本体に装着可能である
ことを特徴とした電気掃除機。
【請求項２】
電池部は、交流電源部に着脱可能であるとともに、二次電池を備え、
前記交流電源部は、前記二次電池を充電する充電手段を有している
ことを特徴とした請求項１記載の電気掃除機。
【発明の詳細な説明】
【０００１】
【発明の属する技術分野】
本発明は、電動部に電力を供給する電池部を備えた電気掃除機に関する。
【０００２】
【従来の技術】
従来、この種の例えばハンディタイプなどの電気掃除機は、電動送風機を収容した掃除機本体を備えている。この掃除機本体内には、電動送風機に電力を供給する電池部としての二次電池が内蔵されている。また、掃除機本体には、商用電源からの電力を電動送風機に供給する掃除機本体と別体の交流電源部が着脱可能に取り付けられる。この交流電源部には、壁面のコンセントなどに接続可能な電源コードを巻回したコードリールが配設されている。そして、商用電源で駆動する場合には、交流電源部を掃除機本体に接続し、電源コードを交流電源部から引き出してコンセントに接続して、電動送風機を駆動させる。また、商用電源を取ることが容易でない場合などには、二次電池から電動送風機に電力を供給して電動送風機を駆動させる（例えば、特許文献１参照。）。
【０００３】
【特許文献１】
特開平５−１９２２７０号公報（第２−３頁、図１および図２）
【０００４】
【発明が解決しようとする課題】
しかしながら、上述の電気掃除機では、商用電源を使用する際に、比較的重量が大きい交流電源部を掃除機本体に接続する必要があるため、全体として重くなり、掃除機本体の取り扱いが容易でないなど、使い勝手が良好でないという問題点を有している。
【０００５】
本発明はこのような点に鑑みなされたもので、使い勝手を向上した電気掃除機を提供することを目的とする。
【０００６】
【課題を解決するための手段】
本発明は、掃除機本体に着脱可能に設けられ、掃除機本体に装着した際に電動部に電力を供給する電池部と、掃除機本体に着脱可能に設けられ、掃除機本体に装着した際に商用電源から電動部に電力を供給させる交流電源部とを具備し、電池部と交流電源部とのいずれか一方のみが選択的に掃除機本体に装着可能であるものである。そして、電池部と交流電源部のいずれか一方のみを掃除機本体に装着して使用できるので、使用時の重量が必要以上に大きくならず取り扱いが容易になるなど、使い勝手が向上する。
【０００７】
【発明の実施の形態】
以下、本発明の一実施の形態の電気掃除機の構成を図１ないし図６を参照して説明する。
【０００８】
図１ないし図６において、１はいわゆるハンディ型の電気掃除機である。この電気掃除機１は、掃除機本体としての本体ケース２、この本体ケース２とは別個に設けられた電池部３、および、本体ケース２および電池部３とは別個に設けられた交流電源部４を備えている。
【０００９】
本体ケース２は、ケース体１１と、このケース体１１の上部の前側に偏位して取り付けられ回動によりケース体１１の上部の前側を開放可能に覆って取り付けられる蓋体１２とを有している。
【００１０】
ケース体１１は、前後方向に細長の略円筒状に形成されており、後側から前側に向けて上側が徐々に下側に近づくように縮径されている。また、ケース体１１内の後側には、電動送風機としてのモータ１３が収容されている。このモータ１３は、図示しない冷却ファンなどの各種電動部品とともに電動部１４を構成するものである。
【００１１】
さらに、ケース体１１の蓋体１２の下部には、図示しない紙パックを収容した図示しない集塵室が設けられている。この集塵室は、後部がモータ１３の正圧側、すなわち吸込側である前側に連通している。
【００１２】
また、ケース体１１の後側の側部には、モータ１３の負圧側、すなわち排気側である後側に連通した図示しない排気孔が複数穿設されている。
【００１３】
そして、ケース体１１の前部には、本体吸込口１５が前方に向けて開口して設けられている。この本体吸込口１５は、集塵室の前側に連通している。また、この本体吸込口１５には、吸込口体としての床ブラシ１６が着脱可能に連通接続される。この床ブラシ１６は、本体ケース２の幅方向である左右方向に幅広に設けられている。
【００１４】
さらに、床ブラシ１６の下部には、モータ１３の駆動により被掃除面の塵埃を空気とともに吸い込む吸込口１７が開口形成されている。したがって、この吸込口１７は、本体吸込口１５および集塵室を介してモータ１３の吸込側に連通接続されている。
【００１５】
一方、ケース体１１の上部の蓋体１２の後方には、操作者が把持して電気掃除機１を操作する取手部２１が一体に設けられている。この取手部２１は、例えば本体ケース２の前後方向に沿って設けられている。
【００１６】
また、ケース体１１内には、モータ１３の駆動を制御する制御部としてのモータ制御回路２２が配設されている。このモータ制御回路２２は、モータ１３に電気的に接続されている。また、このモータ制御回路２２は、モータ１３の駆動状態を表示する表示部としての複数の表示ランプ２３、および、モータ制御回路２２を介してモータ１３の駆動状態を所定の状態に切り換える操作部としての操作スイッチ２４にそれぞれ電気的に接続されている。この操作スイッチ２４は、モータ１３の駆動状態を切り換える複数の設定ボタン２５を有している。
【００１７】
表示ランプ２３は、例えば本体ケース２の前側に偏位して設けられ、本体ケース２の外部に露出し、掃除中に操作者が容易に目視確認可能となっている。
【００１８】
また、操作スイッチ２４は、本体ケース２の取手部２１の若干前方に設けられており、操作者が取手部２１を把持した状態で操作可能となっている。
【００１９】
さらに、ケース体１１の後端部には、モータ制御回路２２に電気的に接続され電池部３および交流電源部４のいずれか一方のみが選択的に接続可能な一対の本体側端子２６，２６がケース体１１の後部からケース体１１の外部に露出して設けられている。
【００２０】
一方、電池部３は、例えばケース体１１の後端部の外径寸法と略等しい外径寸法を有する略円形状に形成され、電池ケース３１を有している。
【００２１】
この電池ケース３１内には、電池としての充電可能な二次電池３２が収容されている。この二次電池３２は、例えば複数の二次電池をまとめた電池パック状に形成されている。そして、この二次電池３２は、電動部１４のモータ１３などに電力を供給する。
【００２２】
さらに、電池ケース３１の軸方向の一端部には、二次電池３２に電気的に接続されたプラス（＋）マイナス（−）一対の駆動用電池端子３３，３３が設けられている。これら駆動用電池端子３３，３３は、電池ケース３１の軸方向の一端部からこの電池ケース３１の外部に露出している。また、これら駆動用電池端子３３，３３は、本体側端子２６，２６に着脱可能に接続される。そして、駆動用電池端子３３，３３を本体側端子２６，２６に対して着脱させることで、電池部３が本体ケース２に対して着脱可能に装着されるとともに、モータ制御回路２２を介してモータ１３と二次電池３２とが電気的に接続される。
【００２３】
また、電池ケース３１の軸方向の他端部、すなわち電池ケース３１の軸方向における駆動用電池端子３３，３３と反対側には、二次電池３２および駆動用電池端子３３，３３に電気的に接続されたプラス（＋）マイナス（−）一対の充電用電池端子３５，３５が設けられている。これら充電用電池端子３５，３５は、電池ケース３１の軸方向の他端部からこの電池ケース３１の外部に露出している。
【００２４】
そして、交流電源部４は、交流電源ケース４１を備えている。この交流電源ケース４１は、本体ケース２および電池ケース３１よりも若干外径寸法が大きい略円形状に形成されている。また、この交流電源ケース４１は、軸方向の一端側に、本体ケース２および電池ケース３１の外径寸法に略沿った平面視で円形状の凹部４２が設けられている。この凹部４２には、電池ケース３１の他端部および本体ケース２の後部が嵌合可能になっている。
【００２５】
また、交流電源ケース４１内には、コードリール４３が例えば交流電源ケース４１と同軸状に収容されている。このコードリール４３には、図示しない商用電源に接続された壁面のコンセントなどに着脱可能に接続される一対の接続端子４４，４４を備えた電源コード４５が巻き取りおよび引き出し可能に巻回されている。
【００２６】
さらに、交流電源ケース４１内には、電源コード４５の一対の接続端子４４，４４に電気的に接続された電源回路部としてのモータ駆動用電源回路４６が配設されている。このモータ駆動用電源回路４６は、交流電源である商用電源を整流および平滑化などして電動部１４のモータ１３などに電力を供給するものである。
【００２７】
またさらに、交流電源ケース４１の凹部４２には、モータ駆動用電源回路４６に電気的に接続されたプラス（＋）マイナス（−）一対の駆動用端子４７，４７が設けられている。これら駆動用端子４７，４７は、凹部４２から交流電源ケース４１の外部に露出している。また、これら駆動用端子４７，４７は、本体側端子２６，２６に着脱可能に接続される。そして、駆動用端子４７，４７を本体側端子２６，２６に着脱させることで、交流電源部４が本体ケース２に対して着脱可能に装着されるとともに、モータ制御回路２２およびモータ駆動用電源回路４６を介してモータ１３と商用電源とが電気的に接続される。さらに、駆動用端子４７，４７は、交流電源部４を本体ケース２に対して装着した状態で、電池部３を本体ケース２に装着した際の駆動用電池端子３３，３３と相対的に等しい位置に設けられている。
【００２８】
また、交流電源ケース４１内には、電源コード４５の一対の接続端子４４，４４に電気的に接続された充電手段としての充電用回路４８が配設されている。この充電用回路４８は、交流電源である商用電源を例えば定電流制御して二次電池３２に供給することで二次電池３２を充電可能にするものである。
【００２９】
さらに、交流電源ケース４１の凹部４２の駆動用端子４７，４７の側方には、充電用回路４８に電気的に接続されたプラス（＋）マイナス（−）一対の充電用端子４９，４９が設けられている。これら充電用端子４９，４９は、凹部４２から交流電源ケース４１の外部に露出している。また、これら充電用端子４９，４９は、充電用電池端子３５，３５に着脱可能に接続される。そして、充電用端子４９，４９を充電用電池端子３５，３５に着脱させることで、交流電源部４が電池部３に対して着脱可能に装着されるとともに、充電用回路４８を介して二次電池３２と商用電源とが電気的に接続される。
【００３０】
次に、上記一実施の形態の動作を説明する。
【００３１】
まず、蓋体１２をケース体１１に対して回動させてケース体１１内の集塵室を開口し、この集塵室に集塵パックを取り付けた後、蓋体１２をケース体１１に対して回動させて集塵室を閉塞する。
【００３２】
さらに、被掃除面の形状に応じて、本体ケース２の本体吸込口１５に、床ブラシ１６、あるいは吸込口体としての図示しない鶴口などを連通接続させる。
【００３３】
直流電源にていわゆるコードレス状態で使用する場合には、図２および図３に示すように、本体ケース２に電池部３を装着する。このとき、本体側端子２６，２６に駆動用電池端子３３，３３が電気的に接続されるように装着する。
【００３４】
そして、操作者が、取手部２１を把持した状態で操作スイッチ２４の所定の設定ボタン２５をオンすることで、モータ１３が二次電池３２から供給される電力により駆動され、床ブラシ１６の吸込口１７から空気とともに吸い込んだ塵埃が、本体吸込口１５を通過した後、集塵パックで集塵される。
【００３５】
一方、交流電源にて使用する場合には、図４および図５に示すように、本体ケース２に交流電源部４を装着する。このとき、本体側端子２６，２６に駆動用端子４７，４７が電気的に接続されるように装着する。
【００３６】
この後、交流電源ケース４１から電源コード４５を引き出し、接続端子４４，４４をコンセントに接続する。
【００３７】
この後、直流電源の場合と同様に、操作者が、取手部２１を把持した状態で操作スイッチ２４の所定の設定ボタン２５をオンすることで、商用電源から供給される電力がモータ駆動用電源回路４６を介してモータ１３などに供給されて、このモータ１３が弱、中、強などの所定の状態で駆動される。そして、床ブラシ１６の吸込口１７から空気とともに吸い込んだ塵埃が、本体吸込口１５を通過した後、集塵パックで集塵される。
【００３８】
床ブラシ１６から吸い込まれ、集塵パックを通過した空気は、モータ１３を通過して排気風となり、図示しない排気孔から本体ケース２の外部に排気される。
【００３９】
さらに、二次電池３２を充電する場合には、図６に示すように、凹部４２を上側に向けて交流電源部４を床面などに設置し、この交流電源部４の接続端子４４，４４をコンセントに接続した状態で、電池部３を取り付けた本体ケース２を交流電源部４の凹部４２に嵌合させることで、充電用電池端子３５，３５と充電用端子４９，４９とが電気的に接続され、充電用回路４８により二次電池３２が充電される。
【００４０】
上述したように、上記一実施の形態では、本体ケース２に着脱可能に設けられた電池部３と、本体ケース２に着脱可能に設けられた交流電源部４とのいずれか一方のみが選択的に本体ケース２に装着可能な構成とした。
【００４１】
このため、直流電源を使用する場合には、電池部３のみを本体ケース２に装着し、交流電源を使用する場合には、交流電源部４のみを本体ケース２に装着してそれぞれ使用できる。
【００４２】
この結果、例えば電池を内蔵し、交流電源を使用する場合には交流電源部をさらに追加して装着しなければならない従来の場合と比較して、電池部３と交流電源部４とのいずれか一方の重量のみを本体ケース２の重量に加えるだけで済み、使用時の電気掃除機１の重量が必要以上に大きくならず取り扱いが容易になるなど、使い勝手を向上できる。
【００４３】
特に、電気掃除機１がハンディ型である場合には、操作者が本体ケース２を持ち上げて掃除するため、電気掃除機１の重量の必要以上の増加を抑制することで、操作者が手軽に電気掃除機１を使用でき、より使い勝手を向上できる。
【００４４】
また、電気掃除機１は、例えばコンセントがない場所、あるいはコンセントまでの距離が遠い場所などでは、電池部３を装着して使用でき、長時間の使用が必要な際には、交流電源部４を装着して使用できるなど、使用目的および使用場所などに応じた使い分けが容易にできるので、使い勝手をさらに向上できる。
【００４５】
さらに、交流電源部４に二次電池３２を充電する充電用回路４８を設けることにより、例えば二次電池３２を充電する充電台などを別個に設ける場合と比較して、電気掃除機１の付属品の増加を低減でき、かつ例えば収納時などに余分に場所を取る必要がないなど、使い勝手をより向上できる。
【００４６】
そして、交流電源部４の交流電源ケース４１に凹部４２を設けることにより、交流電源部４に対して本体ケース２、あるいは電池部３を、より容易に位置決めできる。
【００４７】
なお、上記一実施の形態において、電気掃除機１内の各種部品の配置、あるいは形状などの細部は、上記構成に限定されるものではない。
【００４８】
また、電気掃除機１は、ハンディ型のものだけでなく、いわゆるキャニスタ型、あるいはスティック型など、他の様々なものとすることが可能である。これらの場合でも、使用時の電気掃除機１の重量を低減でき、操作性が向上するなど、使い勝手を向上できる。
【００４９】
さらに、紙パックによる集塵だけでなく、例えばいわゆるサイクロン式の遠心分離による集塵など、他の様々な集塵方法を有する電気掃除機１にも適用可能である。
【００５０】
【発明の効果】
本発明によれば、電池部と交流電源部のいずれか一方のみを掃除機本体に装着して使用できるので、使用時の重量が必要以上に大きくならず取り扱いが容易になるなど、使い勝手を向上できる。
【図面の簡単な説明】
【図１】本発明の一実施の形態の電気掃除機を示す斜視図である。
【図２】同上電気掃除機の掃除機本体と電池部との接続状態を示す説明断面図である。
【図３】同上掃除機本体と電池部との接続状態を示す説明図である。
【図４】同上電気掃除機の掃除機本体と交流電源部との接続状態を示す説明断面図である。
【図５】同上掃除機本体と交流電源部との接続状態を示す説明図である。
【図６】同上電気掃除機の充電状態を示す説明断面図である。
【符号の説明】
１    電気掃除機
２    掃除機本体としての本体ケース
３    電池部
４    交流電源部
１４    電動部
３２    二次電池
４８    充電手段としての充電用回路
【図１】
2004337427.tif 000003
【図２】
2004337427.tif 000004
【図３】
2004337427.tif 000005
【図４】
2004337427.tif 000006
【図５】
2004337427.tif 000007
【図６】
2004337427.tif 000008